(57)【要約】本発明は、燃料添加剤としてまたはクランク室潤滑油用の添加剤として燃焼エンジンに使用するための組成物を対象にしている。上記組成物は、燃焼反応において擬似触媒としてはたらくことにより燃焼過程を改善するための、少なくとも３つ以上、しかし、６つ以下の二重結合を有するポリ飽和脂肪族化合物または脂環式化合物を含んでいる。上記組成物は、燃焼反応において擬似触媒としてはたらくことにより燃焼過程を改善するジヒドロベンゾ−ガンマ−ピラン誘導体をさらに含んでいてもよい。上記組成物は、さらにポリエチレングリコール誘導体および／またはポリプロピレングリコール、ポリエチレングリコール、ソルビトールのいずれかのうち、１つまたはそれ以上のポリオキシアルケン誘導体のような界面活性剤を含んでいてもよい。脂肪酸の媒質は、燃料促進剤、界面活性剤、その他の含有物を希釈し、これらの含有物の濃度を正確にして燃料槽へ導入するようにするために用いられている。【特許請求の範囲】
【請求項１】
燃料および潤滑油とともに使用される組成物であって、
少なくとも３つ以上かつ６つ以下の二重結合を備えるポリ不飽和脂肪族または脂環式化合物と、
ジヒドロベンゾ−ガンマ−ピラン誘導体と、
ポリプロピレングリコール、ポリエチレングリコール、またはソルビトールからなる群より選ばれる化合物の誘導体であるポリオキシドアルキルと、脂肪酸エステルとを含んでいる組成物。
【請求項２】
上記ポリ不飽和化合物中の上記結合は、分子鎖に沿って単結合と二重結合とを交互に繰り返している請求項１記載の組成物。
【請求項３】
上記ポリ不飽和化合物はビタミンＡを含んでいる請求項１記載の組成物。
【請求項４】
上記ジヒドロベンゾ−ガンマ−ピラン誘導体は、ビタミンＥを含んでいる請求項１記載の組成物。
【請求項５】
上記ポリオキシドアルキルは、ポリオキシアルケン誘導体およびポリオキシアルカン誘導体からなる群より選ばれる請求項１記載の組成物。
【請求項６】
上記ポリオキシドアルキルは、ポリプロピレングリコールのポリオキシアルケン誘導体を含んでいる請求項１記載の組成物。
【請求項７】
上記ポリオキシドアルキルは、ポリソルビトールを含んでいる請求項１記載の組成物。
【請求項８】
上記ポリオキシドアルキルは、ポリエチレングリコールのポリオキシアルケン誘導体とポリソルビトールとの混合物を含んでいる請求項１記載の組成物。
【請求項９】
上記脂肪酸エステルはモノエステルを含んでいる請求項１記載の組成物。
【請求項１０】
上記脂肪酸エステルは枝分かれしたトリエステルを含んでいる請求項１記載の組成物。
【請求項１１】
上記ポリオキシド化合物をさらに含んでいる請求項１記載の組成物。
【請求項１２】
上記ポリオキシド化合物はポリエチレングリコールである請求項１記載の組成物。
【請求項１３】
上記組成物は、約０．００１％から約０．０１％の範囲の上記脂肪族または脂環式化合物、約０．００１％から約０．０１％の範囲のジヒドロベンゾ−ガンマ−ピラン誘導体、約５％から約１５％の範囲のポリオキシド、約１０％から約５０％の範囲のポリオキシドアルキル、約２０％から約６０％の範囲の脂肪酸エステルを備えるように配合されている請求項１２記載の組成物。
【請求項１４】
上記４−ｔ−ブチルスチレンをさらに含んでいる請求項１記載の組成物。
【請求項１５】
燃料および潤滑油に使用される組成物であって、少なくとも３つ以上かつ６つ以下の二重結合を備えているポリ不飽和脂肪族または脂環式化合物からなる群より選ばれる触媒とジヒドロベンゾ−ガンマ−ピラン誘導体とを含んでいる組成物。
【請求項１６】
クランク室オイルをさらに含んでいる請求項１５記載の組成物。
【請求項１７】
２工程用潤滑油をさらに含んでいる請求項１５記載の組成物。
【請求項１８】
ガソリンをさらに含んでいる請求項１５記載の組成物。
【請求項１９】
ジェット燃料をさらに含んでいる請求項１５記載の組成物。
【請求項２０】
ディーゼル燃料をさらに含んでいる請求項１５記載の組成物。
【請求項２１】
上記ディーゼル燃料は低硫黄ディーゼル燃料である請求項２０記載の組成物。
【請求項２２】
暖房用オイル燃料をさらに含んでいる請求項１５記載の組成物。
【請求項２３】
上記ポリオキシドアルキルは、ポリプロピレングリコール、ポリエチレングリコール、およびソルビトールからなる群より選ばれる化合物の誘導体である請求項１５記載の組成物。
【請求項２４】
燃焼エンジンに使用される組成物であって、ビタミンＡとビタミンＥとからなる群より選ばれる触媒と、ポリエチレングリコールのポリオキシアルケン誘導体とポリソルビトールとからなる群より選ばれるアルキルのポリオキシド誘導体とを含んでいる組成物。
【請求項２５】
脂肪酸エステルをさらに含んでいる請求項２４記載の組成物。
【請求項２６】
ポリプロピレングリコールをさらに含んでいる請求項２４記載の組成物。
【請求項２７】
上記組成物は、約０．００１％から約０．０１％の範囲のビタミンＡ、約０．００１％から約０．０１％の範囲のビタミンＥ、約１０％から約５０％の範囲のポリプロピレングリコールのポリオキシアルケン誘導体、約１０％から約５０％の範囲のポリソルビトール、約５％から約１５％の範囲のポリエチレングリコール、約２０％から約６０％の範囲の脂肪酸エステルを備えるように配合されている請求項２４記載の組成物。
【発明の詳細な説明】
【０００１】
（発明の技術分野）
本発明は一般に、燃料用の添加剤および燃焼エンジンの性能を高めるとともに排ガス排出を削減するオイルに関する。より詳細には、本発明は、可視および不可視の排ガスの排出物を削減するとともに、エンジンの燃焼室に導入した場合に燃焼効率と潤滑性とを改善する添加剤に関する。本発明は、特に、暖房用燃料、ジェット燃料、ガソリン、ディーゼル燃料、２工程（two-cycle）エンジン用のオイルや４工程（four-cycle）エンジンのククランク室オイルに関連して使用することのできる添加剤を増大させるために役立つが、これに限定されるものではない。
【０００２】
（背景技術）
今日に自動車用燃料および潤滑油は、燃料効率を改善し、馬力を向上させるとともに、エンジン寿命を持続させ、環境に有害な排出物を削減するために高度に設計されている。例えば、典型的な最新の燃料は、特にオクタン価やセタン価を調整したり、固体を分散させて汚泥（sludge）を防いだり、潤滑性を向上させたり、エンジンの清浄さを保るとともに、燃焼を促進させるために設計された複数の成分を含んでいる。
【０００３】
一度、ある含有物がこれらの能力の１つにおいて有効であると分かった場合、含有物は他の含有物の性能に不利になるように影響を与えないことを確かめるために試験を行なわなければならない。さらに、上記含有物は、例えば触媒コンバータ、活性炭キャニスターや排ガス循環システムなどの最新の排出制御システムを妨げないことを確かめるために、上記含有物は検査されなければならない。また、上記含有物は、有毒な排出物や温室効果ガスやスモッグの前駆体の生成を伴って、有害な排出物が増加することがないことを確かめるために検査されなければならない。また、化学物質の環境面および健康面での影響は燃料の流出の可能性の観点からも考慮されなければならない。
【０００４】
含有物が、上で述べたような操作上の規制を満たしている場合、燃料中の溶液中における活性な含有物を維持するとともに、適切な濃度（特に低濃度の含有物のみが要求されている場合）の活性物質を燃焼室へ伝送し、また、必要とされる保存期間の間、活性物質が他の燃料成分との反応を起こすことを防止するために機構がさらに提供されていなければならない。使用可能な上記のような機構のひとつは、燃料中に含有物用の媒質を供給することである。もちろん、媒質自身はその後含有物となり、他の含有物やエンジンまたは何らかの排出制御システムとの相互作用に関する、上で述べたような要求にさらされる。
【０００５】
上記の観点から、本発明の目的は、エンジンの燃焼室に導入した場合に、燃焼効率および上部シリンダーの潤滑性を改善する組成物(composition)を提供することである。さらに、本発明の別の目的は、エンジンの寿命を増加させ排ガス排出物を減少させる燃料および潤滑油添加剤を提供することである。本発明のさらに別の目的は、エンジンに不利な影響を与えることなく、エンジンの性能を向上させるとともに、標準的な燃料添加物の効力、または何らかの応用可能な排出制御システムを向上させる、潤滑油および可燃性燃料に添加するための組成物を提供することである。さらに、本発明の目的は、油や燃料と混合した後および保存中にも安定なままであり、化学的構成成分を有する、性能の向上した組成物を提供することである。さらに、本発明の別の目的は、ディーゼル燃料のセタン価を改善する、燃料および潤滑油の添加物を提供することである。本発明のさらに別の目的は、燃焼エンジンの上部シリンダーと燃料噴射装置とを浄化する可燃性燃焼に添加するための組成物を提供することである。本発明の別の目的は、潤滑性低硫黄ディーゼル燃料の潤滑性を向上させる添加剤を提供することである。さらに、本発明の別の目的は、使用中に環境的に有害な排出物を生成することのない、燃焼エンジン用の燃料および油の添加物を提供することにある。本発明の別の目的は、暖房用オイルに添加する組成物および他の直火（open flame）式の応用例を提供し、洗浄機が燃えた場合に燃焼室のすすを低減させる（de-soot）とともに、可視および不可視の排ガス排出物を低減させることである。さらに、本発明の別の目的は、使用が容易で、相対的に簡単に実施することができ、また比較的コスト効率のよい燃料および油の添加物を提供することにある。
【０００６】
（好ましい実施の形態の要約）
本発明は、燃料および潤滑油に使用される組成物を対象にしている。本発明によれば、上記組成物は、２工程エンジン、４工程エンジン、ディーゼルエンジン、タービンエンジン、ジェットエンジンに使用することができる。このように、上記組成物は、２工程用、ガソリン、クランク室オイル、４工程用のガソリンやクランク室オイル、ディーゼル燃料、クランク室オイル、ディーゼルエンジン用のディーゼル燃料やクランク室オイルに添加することができる。さらに、上記組成物は、ジェット燃料や熱を発生させるために設計された燃料に添加することができる。
【０００７】
本発明の組成物は、少なくとも３つ以上かつ６つ以下の二重結合を有するポリ不飽和脂肪族または脂環式化合物を含み、上記結合は、分子鎖に沿って単結合と二重結合とを交互に繰り返している。本発明によれば、ポリ不飽和化合物は、燃焼反応において擬似触媒としてはたらくことにより燃焼過程を改善するために供給されている。ビタミンＡ（レチノール）は、本発明にとって好適なポリ不飽和化合物であり、総組成物の約０．００１％から約０．０１％の範囲を構成していることが好ましい。
【０００８】
上記組成物は、燃焼反応において擬似触媒としてはたらくことにより燃焼過程を改善するジヒドロベンゾ−ガンマ−ピラン（dihydrobenzo-gammma-pyrane）誘導体を含んでいてもよい。ビタミンＥ（トコフェロール（tocopherol））は、本発明で使用するために好適なジヒドロベンゾ−ガンマ−ピラン誘導体であり、総組成物の約０．００１％から約０．０１％の範囲を構成していることが好ましい。
【０００９】
上記組成物はまた、エンジンの馬力を増大させ、エンジンの磨耗を減少させるために潤滑剤として１つ以上のポリオキシド化合物を含んでいてもよい。使用されるポリオキシド化合物は、約５％から約１５％の範囲の濃度のポリエチレングリコールであることが好ましい。
【００１０】
上記組成物はまた、ポリプロピレングリコール、ポリエチレングリコール、またはソルビトールの何れかのうち１つ以上のポリオキシ誘導体を含んでいてもよい。本発明によれば、ポリオキシ誘導体は、ポリオキシアルケン誘導体またはポリオキシアルカン誘導体のいずれかである。上記組成物には、約２０％のポリオキシソルビトールアルケンおよび約１５％のポリプロピレングリコールのポリオキシアルケン誘導体が配合されている。本発明によれば、ポリオキシアルキル誘導体は、界面活性剤としての機能を備えており、潤滑性を増大させるとともに、分散剤や乳化剤としてはたらき、燃料／添加剤混合物中での層の分離を防止する。
【００１１】
上記組成物は、１つ以上の脂肪酸エステルを含んでいてもよい。特に、脂肪酸のモノエステルやトリエステルは本発明に応用できる。混合物の濃度が約２０％から約６０％の範囲である脂肪酸エステルの混合物は本発明に用いられる。本発明によれば、脂肪酸エステルは、燃焼促進剤、界面活性剤、その他の含有物を希釈する機能を果たす媒質として供給されており、燃料槽内でこれら含有物の濃度を正確にする。
【００１２】
上記組成物は、約０．２から０．９％の４−ｔ−ブチルスチレンをさらに含んでいてもよい。上記４−ｔ−ブチルスチレンは、分子量約２０，０００から５０，０００の間の範囲であることが好ましい。本発明によれば、４−ｔ−ブチルスチレンは、燃焼を改善し、ＮＯxやＣＯ排出物を削減するために供給されている。
（好ましい実施の形態の説明）
本発明は、燃料および潤滑油に使用される組成物を対象にしている。本発明によれば、上記組成物は、２工程エンジン、４工程エンジン、ディーゼルエンジンに使用することができる。このように、組成物は、２工程用のガソリン−オイル混合物、ガソリン、クランク室オイル、または４工程用のガソリン−オイル混合物や、ガソリン、クランク室オイル、またはディーゼル燃料、クランク室オイル、ディーゼルエンジン用のディーゼル燃料やクランク室オイルに添加することができる。上で述べたエンジンには、航空機用の等級のガソリンおよび潤滑油を使用する航空機のエンジンは、上で述べたエンジンに含まれている。さらに、上記組成物は、ケロシン（kerosene）型のジェット燃料（ＪＰ−５およびＪＰ−８を含んでいる）や、ナフサ型のジェット燃料（ＪＰ−４を含んでいる）のような、ジェットエンジン用に設計された燃料に添加することができる。さらに、上記組成物は、ケロセンやＮｏ．２燃料やＮｏ．４燃料、または残留燃料油（Ｎｏ．５やＮｏ．６の燃焼オイルを含有している）のような、熱を発生させるために設計された燃料に添加することができる。それゆえ、上記組成物は製造されて上で述べたような燃料／潤滑油の１つ以上への添加剤として販売されるか、または上記組成物は調整され、その後、混合物として販売される上で述べたような燃料／潤滑油のうちの１つと混合される。
【００１３】
本発明の組成物は、少なくとも３つ以上かつ６つ以下の二重結合を備えるポリ不飽和脂肪族または脂環式化合物を含んでいてもよく、上記結合は、分子鎖に沿って単結合と二重結合とを交互に繰り返している。ビタミンＡ（レチノール）は、本発明にとって好適な化合物であり、総組成物の約０．００１％から約０．０１％の範囲を構成していることが好ましい。ビタミンＡは総組成物の約０．００５％を構成していることがより好ましい。オクタトリエネオール（octatrieneol）、デカテトラエネオール（decatetraeneol）、オクタドデコペンタエノール（octadodecopentaenol）、シクロオクタトリエノール（cyclooctatrieneol）、またデヒドロシクロヘキサテトラエネオール（dehydrocyclohexatetraeneol）のような化合物は、本発明に基づくいくつかの応用例に適している。本発明によれば、ポリ不飽和化合物（例えばビタミンＡ）は、燃焼反応において擬似触媒としてはたらくことにより燃焼過程を改善するために供給されている。
【００１４】
上記組成物はまた、ジヒドロベンゾ−ガンマ−ピラン誘導体を含んでいてもよい。ビタミンＥ（トコフェロール）は、本発明に使用されるのに好適なジヒドロベンゾ−ガンマ−ピラン誘導体であり、総組成物の約０．００１％から約０．０１％の範囲を構成していることが好ましい。上記ビタミンＥは、総組成物の約０．００５％を構成していることがより好ましい。ベンゾピレン（benzopyrene）、ベンゾピロン（benzopyrone）（クマリン（coumarin））、クマロン（coumarone）（ベンゾフラン（benzofuran））、またはベンゾキノン（benzoquinone）（キノン（quinone））のような化合物は、本発明に基づくいくつかの応用例に適している。上記ビタミンＡと同様に、ジヒドロベンゾ−ガンマ−ピラン誘導体（好適にはビタミンＥ）は、燃焼反応において擬似触媒としてはたらくことにより燃焼過程を改善するために供給されている。
【００１５】
上記組成物はまた、１つ以上のポリオキシド化合物を含んでいていもよい。使用する上記ポリオキシド化合物は、約５％から約１５％の範囲の濃度のポリエチレングリコールであることが好ましい。上記組成物は、約５％のポリエチレングリコールを有するように調製されていることがより好ましい。本発明によれば、上記ポリオキシド化合物は、エンジンの馬力を増大させ、エンジンの磨耗を減少させるための潤滑剤として供給されている。
【００１６】
上記組成物は、ポリプロピレングリコール、ポリエチレングリコール、またはソルビトールのいずれかのポリオキシ誘導体の１つ以上を含んでいてもよい。本発明によれば、ポリオキシ誘導体は、ポリオキシアルケン誘導体またはポリオキシアルカン誘導体のいずれかであってもよい。アルカン／アルケンは、Ｃ10およびＣ20の範囲の炭化水素鎖長を有し、エステルまたはエーテル結合のいずれかを通してポリオキシドに結合されていることが好ましい。ポリプロピレングリコールの適当なポリオキシアルケン誘導体は、Ｐｌｕｒｏｎｉｃ−６１ＬＤという商品名で販売されている。本発明によれば、上記組成物は、約１０％から約５０％の範囲のこのようなポリオキシ誘導体を含んでいてもよい。このようなポリオキシ誘導体の好ましい組み合わせは、ポリプロピレングリコール（Ｐｌｕｒｏｎｉｃ−６１ＬＤ）やポリソルビトールのポリオキシアルケン誘導体の混合物を含んでいる。上記組成物は、約２０％のポリソルビトールおよび約１５％のポリプロピレングリコールのポリオキシアルケン誘導体が配合されていることがより好ましい。いくつかの応用例として、上記組成物は、約１０％から約５０％の範囲のポリソルビトールおよび約１０％から約５０％の範囲のポリプロピレングリコールのポリオキシアルケン誘導体が配合されていてもよい。さらに、ジステアリン酸（distearate）、モノラウレート（monolaurate）、ジアクリレート、ブチルエーテルやメタクリエートのようなアルキル鎖を有するポリオキシドアルキル誘導体はいくつかの応用例として適している。
【００１７】
本発明によれば、ポリオオキシ誘導体は種々の利点を与える界面活性剤として供給されている。まず、上記界面活性剤は、ポリオキシ誘導体の極性によって燃料をより親水性にする。また、界面活性剤として、ポリオキシ誘導体は、燃料中に酸素（Ｏ2）をより容易に溶解させることができる。さらに、添加剤の表面張力を減少させることによって、ポリオキシ誘導体は添加剤と燃料との混合を促進させる。特に、ポリオキシド誘導体は、表面張力を減少させ、その結果、燃料と酸素との混合を促進させる。さらに、ポリオキシ誘導体は、潤滑性を増大させるとともに、分散剤や乳化剤としてはたらき、燃料／添加剤混合物中での層の分離を防止する。
【００１８】
上記組成物は、１つ以上の脂肪酸エステルをさらに含んでいてもよい。特に、脂肪酸のモノエステルやトリエステルは本発明に応用可能である。約２０％から約６０％の範囲の混合物の濃度の、鎖長Ｃ10−Ｃ20の飽和直鎖エステルおよび／または不飽和エステルおよび／または枝分かれしたトリエステルが本発明に使用される。いくつかの応用例として、ステアリン酸エチル（ethyl stearate）、レブリン酸エチル（ethyl levulinate）、リノール酸エチル（ethyl linoleate）、イソ吉草酸エチル（ethyl isovaleriate）、ステアリン酸メチル（methyl stearate）などのエステルが応用可能である。
【００１９】
本発明によれば、脂肪酸エステルは、燃焼促進剤、界面活性剤、その他の含有物を希釈する機能を果たす媒質として供給されており、燃料槽内でこれら含有物の濃度を正確にする。また、脂肪酸エステルの媒質は、乳化されている燃焼促進剤、界面活性剤および他の含有物を媒質中に保持するのに役立つとともに、保存している間に含有物と反応する可能性のある燃料成分とこれらの含有物との相互作用を低減させる。上記エステルのうち、ポリ／ジ（エチレングリコール）／トリメチロールプロパン−アジピン酸／ポリオール（poly/di(ethylene glycol)/trimethylolpropane-alt-adipic acid/polyol）はまた、特に高い熱容量を持つ耐熱剤としてはたらき、高温により他の成分に損傷を与えることを防止する。またこのエステルはＮＯx排出物の減少に寄与している。いくつかの応用例では、媒質を補充するために、任意の量の鉱油が上記組成物に含まれていてもよい。
【００２０】
上記組成物は、約０．２から０．９％の４−ｔ−ブチルスチレンをさらに含んでいてもよい。上記４−ｔ−ブチルスチレンは、約２０，０００から５０，０００の範囲の分子量であることが好ましい。本発明によれば、４−ｔ−ブチルスチレンは、燃焼を改善し、ＮＯxやＣＯ排出物を削減するために供給されている。
【００２１】
上記組成物を調製するため、まずポリオキシアルキル誘導体およびポリオキシド化合物は共に混合される。次に、上記エステルはポリオキシアルキル誘導体とポリオキシド化合物との混合物中に一定の濃度となるまで混ぜ合わされる。最後に、ビタミンＡやＥのような燃焼促進剤は、上記混合物に添加され、均一な濃度となるまで適度に撹拌しながら混ぜ合わされる。上記の手順を室温で行なう場合、混合を行い生成物を調製するのに一般に２、３時間必要である。混合時間を短縮するために、上記組成物を約８０−１００℃の温度で調製して、上記組成物を約３０−４０分で調製することもできる。
【００２２】
上記組成物は、一度調製されると、燃料／潤滑油に添加されて用いられる。上記組成物は、ガソリン（４工程エンジン用）やディーゼル燃料に使用した場合、約５００−１５００分量の燃料に対して１分量の組成物の混合比が本発明にとって模範的であると考えられる。
【００２３】
上記組成物を２工程エンジンに使用すると、潤滑油１−５分量に対し組成物１分量の模範的な混合比がまず調製され、約１６−１００分量のガソリンに対して上記組成物／潤滑油１分量の混合比で、上記組成物／潤滑油の混合物が上記燃料に添加される。上記組成物はタービン／ジェットエンジンに使用される場合、本発明にとって模範的な混合比は約５００−１５００分量のジェット燃料に対して１分量の組成物の混合比であると考えられる。上記組成物を暖房用オイルとともに使用する場合、本発明にとって模範的な混合比は約５００−１５００分量のジェット燃料に対して１分量の組成物の混合比であると考えられる。上記組成物をクランク室オイルとともに使用する場合、本発明にとって模範的な混合比は約１２−２０分量のクランク室オイルに対して１分量の組成物の混合比であると考えられる。
【００２４】
ここで示され、詳細に開示された特有の組成物は、十分に、ここで以前に述べた目的を達成するとともに上記の利点を提供することができる一方、好ましい実施形態をただ例示するもので、付随する請求項に述べられている以上に、ここで示された構成や設計の詳細な部分を限定する意図はないことは理解されるであろう。
【国際公開パンフレット】
2004529236.tif 000002
2004529236.tif 000003
2004529236.tif 000004
2004529236.tif 000005
2004529236.tif 000006
2004529236.tif 000007
2004529236.tif 000008
2004529236.tif 000009
2004529236.tif 000010
2004529236.tif 000011
2004529236.tif 000012
2004529236.tif 000013
2004529236.tif 000014
【手続補正書】
【提出日】平成15年1月31日(2003.1.31)
【手続補正１】
【補正対象書類名】特許請求の範囲
【補正対象項目名】全文
【補正方法】変更
【補正の内容】
【特許請求の範囲】
【請求項１】
燃焼エンジンに使用される組成物であって、クランク室のオイルと、少なくとも３つ以上かつ６つ以下の二重結合を備えるポリ不飽和脂肪族または脂環式化合物と、ジヒドロベンゾ−ガンマ−ピラン誘導体とを含んでいる組成物。
【請求項２】
ポリプロピレングリコール、ポリエチレングリコール、またはソルビトールからなる群より選ばれる化合物のポリオキシド誘導体をさらに含んでいる請求項１記載の組成物。
【請求項３】
脂肪酸エステルをさらに含んでいる請求項１記載の組成物。
【請求項４】
ポリプロピレングリコールをさらに含んでいる請求項１記載の組成物。
【請求項５】
上記ポリ不飽和脂肪族化合物または脂環式化合物はビタミンＡを含んでいる請求項１記載の組成物。
【請求項６】
上記ジヒドロベンゾ−ガンマ−ピラン誘導体は、ビタミンＥを含んでいる請求項１記載の組成物。
【請求項７】
燃焼エンジンに使用される組成物であって、２工程用の潤滑油と、少なくとも３つ以上かつ６つ以下の二重結合を備えるポリ不飽和脂肪族または脂環式化合物と、ジヒドロベンゾ−ガンマ−ピラン誘導体とを含んでいる組成物。
【請求項８】
ポリプロピレングリコール、ポリエチレングリコール、またはソルビトールからなる群より選ばれる化合物のポリオキシド誘導体をさらに含んでいる請求項７記載の組成物。
【請求項９】
脂肪酸エステルをさらに含んでいる請求項７記載の組成物。
【請求項１０】
ポリプロピレングリコールをさらに含んでいる請求項７記載の組成物。
【請求項１１】
上記ポリ不飽和脂肪族化合物または脂環式化合物はビタミンＡを含んでいる請求項７記載の組成物。
【請求項１２】
上記ジヒドロベンゾ−ガンマ−ピラン誘導体は、ビタミンＥを含んでいる請求項７記載の組成物。
【請求項１３】
燃焼エンジンに使用される組成物であって、ガソリンと、少なくとも３つ以上かつ６つ以下の二重結合を備えるポリ不飽和脂肪族または脂環式化合物と、ジヒドロベンゾ−ガンマ−ピラン誘導体とを含んでいる組成物。
【請求項１４】
ポリプロピレングリコール、ポリエチレングリコール、またはソルビトールからなる群より選ばれる化合物のポリオキシド誘導体をさらに含んでいる請求項１３記載の組成物。
【請求項１５】
脂肪酸エステルをさらに含んでいる請求項１３記載の組成物。
【請求項１６】
ポリプロピレングリコールをさらに含んでいる請求項１３記載の組成物。
【請求項１７】
上記ポリ不飽和脂肪族化合物または脂環式化合物はビタミンＡを含んでいる請求項１３記載の組成物。
【請求項１８】
上記ジヒドロベンゾ−ガンマ−ピラン誘導体は、ビタミンＥを含んでいる請求項１３記載の組成物。
【請求項１９】
エンジンに使用される組成物であって、ジェット燃料と、少なくとも３つ以上かつ６つ以下の二重結合を備えるポリ不飽和脂肪族または脂環式化合物からなる群から選ばれる触媒と、ジヒドロベンゾ−ガンマ−ピラン誘導体とを含んでいる組成物。
【請求項２０】
ポリプロピレングリコール、ポリエチレングリコール、またはソルビトールからなる群より選ばれる化合物のポリオキシド誘導体をさらに含んでいる請求項１９記載の組成物。
【請求項２１】
脂肪酸エステルをさらに含んでいる請求項１９記載の組成物。
【請求項２２】
ポリプロピレングリコールをさらに含んでいる請求項１９記載の組成物。
【請求項２３】
上記ポリ不飽和脂肪族化合物または脂環式化合物はビタミンＡを含んでいる請求項１９記載の組成物。
【請求項２４】
上記ジヒドロベンゾ−ガンマ−ピラン誘導体は、ビタミンＥを含んでいる請求項１９記載の組成物。
【請求項２５】
燃焼エンジンに使用される組成物であって、ディーゼル燃料と、少なくとも３つ以上かつ６つ以下の二重結合を備えるポリ不飽和脂肪族または脂環式化合物からなる群から選ばれる触媒と、ジヒドロベンゾ−ガンマ−ピラン誘導体とを含んでいる組成物。
【請求項２６】
ポリプロピレングリコール、ポリエチレングリコール、またはソルビトールからなる群より選ばれる化合物のポリオキシド誘導体をさらに含んでいる請求項２５記載の組成物。
【請求項２７】
脂肪酸エステルをさらに含んでいる請求項２５記載の組成物。
【請求項２８】
ポリプロピレングリコールをさらに含んでいる請求項２５記載の組成物。
【請求項２９】
上記ポリ不飽和脂肪族化合物または脂環式化合物はビタミンＡを含んでいる請求項２５記載の組成物。
【請求項３０】
上記ジヒドロベンゾ−ガンマ−ピラン誘導体は、ビタミンＥを含んでいる請求項２５記載の組成物。
【請求項３１】
上記ディーゼル燃料は、低硫黄ディーゼル燃料である請求項２５記載の組成物。
【請求項３２】
ヒーターに使用される組成物であって、暖房用燃料と、少なくとも３つ以上かつ６つ以下の二重結合を備えるポリ不飽和脂肪族または脂環式化合物からなる群から選ばれる触媒と、ジヒドロベンゾ−ガンマ−ピラン誘導体とを含んでいる組成物。
【請求項３３】
ポリプロピレングリコール、ポリエチレングリコール、またはソルビトールからなる群より選ばれる化合物のポリオキシド誘導体をさらに含んでいる請求項３２記載の組成物。
【請求項３４】
脂肪酸エステルをさらに含んでいる請求項３２記載の組成物。
【請求項３５】
ポリプロピレングリコールをさらに含んでいる請求項３２記載の組成物。
【請求項３６】
上記ポリ不飽和脂肪族化合物または脂環式化合物はビタミンＡを含んでいる請求項３２記載の組成物。
【請求項３７】
上記ジヒドロベンゾ−ガンマ−ピラン誘導体は、ビタミンＥを含んでいる請求項３２記載の組成物。
【国際調査報告】
2004529236.tif 000015